(57)【要約】【課題】  ストラップを携帯機器に容易に取り付けることができない。【解決手段】  携帯電話機４の筐体の第１の面と、第１の面に接する第２の面とにそれぞれ開口部を有し、第１の面から第２の面へ見通せるような直線状の穴３を設ける。携帯電話機４の使用者は、ストラップ５の一端に設けられた環状の紐を、第１の面１の開口部または第２の面２の開口部から携帯電話機４に設けられた穴３に通し、ストラップ５の他端を環状の紐の環の中を通して、ストラップ５を携帯電話機４に固定する。穴３の内壁は、湾曲していてもよい。【選択図】  図１
2006303362.tif 000002
【特許請求の範囲】
【請求項１】
ストラップを取り付けるために、電子回路を形成するプリント基板を覆う筐体の第１の面と、前記第１の面に接する第２の面とにそれぞれ開口部を有し、前記ストラップの一端に設けられた環状の紐を通すための貫通穴が設けられた携帯機器において、
前記貫通穴を通して前記第１の面から前記第２の面の方向が見通せるよう、前記貫通穴の前記第１の面における開口部の中心と前記第２の面における開口部の中心とを結ぶ仮想的な直線が、前記貫通穴の内壁と接触しないように前記貫通穴が設けられている
ことを特徴とする携帯機器。
【請求項２】
貫通穴は、一方の開口部から他方の開口部までの間に、断面積が変化する部分を有する
請求項１記載の携帯機器。
【請求項３】
貫通穴は、開口部からの距離に応じて断面積が小さくなるように設けられている
請求項１または請求項２記載の携帯機器。
【請求項４】
貫通穴は、前記貫通穴の内壁が前記貫通穴の内側に湾曲するように設けられている
請求項３記載の携帯機器。
【請求項５】
貫通穴は、前記貫通穴の内壁が前記貫通穴の内側に湾曲するように、前記内壁が１つの凸部を有する
請求項４記載の携帯機器。
【請求項６】
貫通穴は、前記貫通穴の内壁が前記貫通穴の内側に湾曲するように、前記内壁が向かい合う２つの凸部を有する
請求項４記載の携帯機器。
【請求項７】
携帯機器にストラップを取り付けるために、電子回路を形成するプリント基板を覆う筐体の第１の面と、前記第１の面に接する第２の面とにそれぞれ開口部を有し、前記ストラップの一端に設けられた環状の紐を通すための貫通穴が設けられたストラップ取り付け構造において、
前記貫通穴を通して前記第１の面から前記第２の面の方向が見通せるよう、前記貫通穴の前記第１の面における開口部の中心と前記第２の面における開口部の中心とを結ぶ仮想的な直線が、前記貫通穴の内壁と接触しないように前記貫通穴が設けられている
ことを特徴とするストラップ取り付け構造。
【発明の詳細な説明】
【技術分野】
【０００１】
本発明は、容易にストラップを取り付けることができる携帯機器、およびストラップ取り付け構造に関する。
【背景技術】
【０００２】
従来の携帯電話機等の携帯機器には、ストラップ（吊り紐）を取り付けるため、筐体の第１の面と、第１の面に接する第２の面とにそれぞれ開口部を有する穴が設けられている。そして、その穴の中心線は、いずれの開口部においても開口部を有する面に垂直になっている。図５は、そのような携帯電話機の一例を示す外観斜視図である。
【０００３】
そのため、その穴は、第１の面の開口部から第２の面の開口部に至るまでの過程で曲がっている。すなわち、ストラップを取り付けるために携帯電話機に設けられている穴は、直線的に見通すことができず、例えば、途中で第１の面から第２の面に向かって曲がる形状であったりしていた。図６は、従来のストラップ取り付け穴の断面の一例を示す説明図である。
【０００４】
携帯電話機の使用者は、ストラップの一端に設けられた環状の紐を、携帯電話機に設けられた穴に通し、ストラップの他端を環状の紐の環の中を通して、ストラップを携帯電話機に固定する。
【０００５】
しかし、携帯電話機に設けられた穴にストラップの一端に設けられた環状の紐の先端を挿入しても、穴が途中で曲がっているため、ストラップの一端に設けられた環状の紐の先端が穴の内壁に接触し、ストラップを穴に通すことは困難である。
【０００６】
そこで、ストラップの先端を容易に通すことができる穴が設けられた部品を、携帯用端末機器に取り付けた構造が提案されている（例えば、特許文献１参照。）。
【０００７】
また、ストラップの先端に設けられた環状の紐を、ネジを用いて携帯電話機に取り付ける構造が提案されている（例えば、特許文献２参照。）。
【０００８】
【特許文献１】特許第２５４８４７８号公報  （段落００１６〜００２２、図１）
【特許文献２】特開平１０−２６２１０４号公報  （段落００１１〜００１６、図１）
【発明の開示】
【発明が解決しようとする課題】
【０００９】
しかし、特許文献１および特許文献２に記載されている構造は、ストラップを携帯用端末機器等に取り付けるために部品を用いるため、その部品のコストがかかるという問題がある。
【００１０】
そこで、本発明は、ストラップの取り付けが容易な穴を有する携帯機器、およびストラップ取り付け構造を提供することを目的とする。
【課題を解決するための手段】
【００１１】
本発明による携帯機器は、ストラップを取り付けるために、電子回路を形成するプリント基板を覆う筐体の第１の面と、第１の面に接する第２の面とにそれぞれ開口部を有し、ストラップの一端に設けられた環状の紐を通すための貫通穴が設けられた携帯機器であって、貫通穴を通して第１の面から第２の面の方向が見通せるよう、貫通穴の第１の面における開口部の中心と第２の面における開口部の中心とを結ぶ仮想的な直線が、貫通穴の内壁と接触しないように貫通穴が設けられていることを特徴とする。
【００１２】
貫通穴は、一方の開口部から他方の開口部までの間に、断面積が変化する部分を有してもよい。
【００１３】
貫通穴は、開口部からの距離に応じて断面積が小さくなるように設けられていてもよい。
【００１４】
貫通穴は、貫通穴の内壁が貫通穴の内側に湾曲するように設けられていてもよい。
【００１５】
貫通穴は、貫通穴の内壁が貫通穴の内側に湾曲するように、内壁が１つの凸部を有してもよい。
【００１６】
貫通穴は、貫通穴の内壁が貫通穴の内側に湾曲するように、内壁が向かい合う２つの凸部を有してもよい。
【００１７】
本発明によるストラップ取り付け構造は、携帯機器にストラップを取り付けるために、電子回路を形成するプリント基板を覆う筐体の第１の面と、第１の面に接する第２の面とにそれぞれ開口部を有し、ストラップの一端に設けられた環状の紐を通すための貫通穴が設けられたストラップ取り付け構造であって、貫通穴を通して第１の面から第２の面の方向が見通せるよう、貫通穴の第１の面における開口部の中心と第２の面における開口部の中心とを結ぶ仮想的な直線が、貫通穴の内壁と接触しないように貫通穴が設けられていることを特徴とする。
【発明の効果】
【００１８】
本発明によれば、容易に貫通穴にストラップを通すことができるため、容易に携帯機器にストラップを取り付けることができる。
【００１９】
貫通穴が、一方の開口部から他方の開口部までの間に、断面積が変化する部分を有するように構成されている場合には、携帯機器の貫通穴の近傍の筐体の肉厚を変化させ、携帯機器を堅牢にしたり、軽量化したりすることができる。
【００２０】
また、貫通穴が、開口部からの距離に応じて断面積が小さくなるように構成されている場合には、携帯機器における貫通穴の近傍の部分の肉厚を厚くすることができるので、携帯機器を堅牢にすることができる。
【発明を実施するための最良の形態】
【００２１】
本発明の実施の形態について図面を参照して説明する。図１は、本発明の実施の形態の携帯電話機４の断面を示す説明図である。
【００２２】
本発明の実施の形態の携帯機器としての携帯電話機４は、ストラップ５を通すように、第１の面１に、第１の面１に接する第２の面２に貫通する穴（貫通穴）３が設けられている。すなわち、携帯電話機４には、ストラップ５を取り付けるために、電子回路を形成するプリント基板を覆う筐体の第１の面１と、第１の面１に接する第２の面２とにそれぞれ開口部を有し、ストラップ５の一端に設けられた環状の紐を通すための穴３が設けられている。
【００２３】
図１の例に示すように、携帯電話機４において、第１の面１と第２の面２とが垂直に接し、穴３は、第１の面１の開口部から第２の面２の開口部へ直線状に貫通している。すなわち、穴３を通して、第１の面１から第２の面２の方向を見通すことができる。ストラップ５の一端には、環状の紐が設けられている。
【００２４】
携帯電話機４の使用者は、図１の例に示すように、ストラップ５の一端に設けられた環状の紐を、第１の面１の開口部または第２の面２の開口部から携帯電話機４に設けられた穴３に通し、ストラップ５の他端を環状の紐の環の中を通す。そして、ストラップ５の他端を引っ張り、ストラップ５を携帯電話機４に固定する。
【００２５】
以上に述べたように、この実施の形態によれば、穴３が携帯電話機４の第１の面１の開口部から第２の面２の開口部へ直線状に貫通している。そのため、ストラップ５の一端に設けられた環状の紐の先端を穴３に通す際に、穴３の内壁が障害にならない。従って、容易に穴３にストラップ５の一端に設けられた環状の紐を通すことができる。
【００２６】
図６の例に示すような構造の従来のストラップ取り付け穴に、ストラップ５の一端に設けられた環状の紐の先端を穴３に通すことを試みると、ストラップ５の一端に設けられた環状の紐の先端は、挿入した開口部を有する面に平行なストラップ取り付け穴の内壁に接触してしまう。そのため、図６の例に示すような構造の従来のストラップ取り付け穴を有する携帯機器にストラップを取り付けることは困難である。
【００２７】
それに対して、この実施の形態によれば、穴３の内壁が障害にならずに、ストラップ５の一端に設けられた環状の紐の先端を穴３に通すことができ、容易に穴３にストラップ５の一端に設けられた環状の紐を通すことができる。すると、容易にストラップ５を携帯電話機４に取り付けることができる。
【００２８】
なお、穴３の断面積は、第１の面１の開口部から第２の面２の開口部に至るまで一定でなくてもよい。図２、図３、および図４は、そのような穴３の形状を示す携帯電話機４の断面図である。
【００２９】
図２および図３に示す例では、第１の面１および第２の面２における穴３の開口面積は図１に示す例と同様であるが、穴３の中央部の断面積が小さくなっている。具体的には、図２に示す例では、穴３における携帯電話機４の筐体の内側の内壁が、穴３の断面の中心に向かって湾曲して（内壁が凸部を有して）、開口部からの距離に応じて、穴３の中央部の断面積が小さくなっている。また、図３に示す例では、穴３における携帯電話機４の筐体の外側の内壁が、穴３の断面の中心に向かって湾曲して（内壁が凸部を有して）、開口部からの距離に応じて、穴３の中央部の断面積が小さくなっている。
【００３０】
また、図４に示す例では、穴３における携帯電話機４の筐体の内側の内壁と筐体の外側の内壁とが、穴３の断面の中心に向かって湾曲して（内壁が凸部を有して）、開口部からの距離に応じて、穴３の中央部の断面積がさらに小さくなっている。
【００３１】
穴３の断面積を小さくすると、携帯電話機４の筐体における穴３の近傍の部分の肉厚を厚くすることができるので、携帯電話機４を堅牢にすることができる。また、携帯電話機４の筐体内に、プリント基板等を内蔵する体積を増やすことができる。
【００３２】
なお、図２、図３、および図４の例に示す携帯電話機４の第１の面１および第２の面２における穴３の開口面積は図１の例に示す携帯電話機４の穴３の開口面積と同様である。したがって、使用者は、図１の例に示す携帯電話機４と同様にして容易に穴３にストラップ５を通すことができる。
【００３３】
なお、穴３は、図１、図２、図３、および図４の例に示した形状に限定されるものではなく、例えば、一方の開口部からの距離に応じて断面積が小さくなるような形状等であってもよい。また、図２、図３、および図４に示した例では、穴３の内壁は曲線状に湾曲しているが、本発明はこれに限定されるものではなく、開口部からの距離に応じて穴３の断面積が小さくなるような直線状であってもよい。
【００３４】
また、一方の開口部から他方の開口部までの間の穴３の断面積を変化させてもよい。すると、携帯電話機４を堅牢にしたり軽量化するために、筐体の肉厚を変化させることができる。
【００３５】
なお、本発明は、以上に述べた実施の形態に限定されるものではなく、例えば、ＰＨＳ（Ｐｅｒｓｏｎａｌ  Ｈａｎｄｙ  ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｃｅ）機器、ポータブルオーディオ機器、双眼鏡等、使用者によって持ち運ばれる携帯機器に適用してもよい。
【産業上の利用可能性】
【００３６】
本発明は、ストラップが取り付けられる携帯機器に適用することができる。
【図面の簡単な説明】
【００３７】
【図１】本発明の実施の形態の携帯電話機の断面を示す説明図である。
【図２】穴の第１の形状を示す携帯電話機の断面図である。
【図３】穴の第２の形状を示す携帯電話機の断面図である。
【図４】穴の第３の形状を示す携帯電話機の断面図である。
【図５】携帯電話機の一例を示す外観斜視図である。
【図６】従来のストラップ取り付け穴の断面の一例を示す説明図である。
【符号の説明】
【００３８】
１  第１の面
２  第２の面
３  穴
４  携帯電話機
５  ストラップ
【図１】
2006303362.tif 000003
【図２】
2006303362.tif 000004
【図３】
2006303362.tif 000005
【図４】
2006303362.tif 000006
【図５】
2006303362.tif 000007
【図６】
2006303362.tif 000008